(57)【要約】      （修正有）【課題】構造が簡素化された使い勝手のよい二剤混合容器を提供する。【解決手段】内容物を注出する注出口１ａを有し、底部の開口１ｂと注出口１ａの間に内容物収納空間Ｍとなる上収納部１と、内容物収納空間Ｍ１となる下収納部３とを備え、上収納部１内容物を下収納部３に落下させる容器において、密封保持するとともに取り外し可能な中栓１１を設け、上収納部１と下収納部３との間に、下収納部３の口部３ａに回転不能に連係し上収納部１の外側に下収納部３とともに相対回転可能に中間筒体４を配設する。中栓１１及び中間筒体４を相互に回転不能に連係し、中栓１１に互いに逆向きになる二つの傾斜凸部１１ｃを設け、凸部１１ｃの傾斜にそれぞれ適合する傾斜を有し中間筒体４の回転に伴う凸部１１ｃへの当接にて中栓１１を上収納部１の開口１ｂより押し出して下収納部３の収納空間へ落下させる凸部１２を設ける。【選択図】図１
2006232290.tif 000002
【特許請求の範囲】
【請求項１】
内容物を注出する注出口を有し、底部を開口として該開口と注出口の相互間に内容物の収納空間を形成する上収納部と、この上収納部の開口につながる口部を有し、その口部と底壁との相互間において内容物の収納空間を別途に形成する下収納部とを備え、上収納部の内容物を開口を通して下収納部の収納空間に落下させることによって二剤の内容物を混合する容器であって、
前記上収納部の開口に、該開口を密封保持するとともにその取り外しを可能とする中栓を設け、
前記上収納部と下収納部との相互間に、該下収納部の口部に回転不能に連係し上収納部の外側において下収納部とともに相対回転可能に保持される中間筒体を配設してなり、
前記中栓及び中間筒体を相互に回転不能に連係するとともに、該中栓に互いに逆向きになる少なくとも二つの傾斜を有する凸部を設け、
前記上収納部の開口の突端に、該凸部の傾斜にそれぞれ適合する傾斜を有し中間筒体の回転に伴う該凸部への当接にて該中栓を上収納部の開口より押し出して下収納部の収納空間へ落下させる凸部を設けたことを特徴とする二剤混合容器。
【請求項２】
前記中栓は、中間筒体の先端に係止され上収納部との共廻りを防止する廻り止めを有する請求項１記載の二剤混合容器。
【請求項３】
内容物を注出する注出口を有し、底部を開口として該開口と注出口の相互間に内容物の収納空間を形成する上収納部と、この上収納部の開口につながる口部を有し、その口部と底壁との相互間において内容物の収納空間を別途に形成する下収納部とを備え、上収納部の内容物を開口を通して下収納部の収納空間に落下させることによって二剤の内容物を混合する容器であって、
前記上収納部の開口に、該開口を密封保持するとともにその取り外しを可能とする中栓を設け、
前記上収納部と下収納部との相互間に、該下収納部の口部に回転不能に連係し上収納部の外側において下収納部とともに相対回転可能に保持される中間筒体を配設してなり、  前記中栓及び上収納部を相互に回転不能に連係するとともに該中栓に互いに逆向きになる少なくとも二つの傾斜を有する凸部を設け、
前記回転部材の突端に、該凸部の傾斜にそれぞれ適合する傾斜を有し上収納部、下収納部の相対回転に伴う該凸部への当接にて該中栓を上収納部の開口より押し出して下収納部の収納空間へ落下させる凸部を設けたことを特徴とする二剤混合容器。
【請求項４】
前記中栓は、その背面に、取り付け治具に適合、保持され上収納部の開口への組み付けを容易にする係止片を有する請求項１〜３の何れかに記載の二剤混合容器。
【請求項５】
前記中栓の凸部及び上収納部の凸部は山型形状を呈する請求項１〜４の何れかに記載の二剤混合容器。
【発明の詳細な説明】
【技術分野】
【０００１】
本発明は、二剤混合容器に関するものであり、該容器の構造を簡素化するとともに、二剤を混合する際に不可避であった容器の長さの変動をなくし、容器の回転方向にかかわりなく中栓を取り外すことができる使い勝手の良い容器を提案しようとするものである。
【背景技術】
【０００２】
上下に形成した収納部に種類の異なる内容物をそれぞれ入れておき、使用時に収納部の一方を回転させることで各収納部を開通させて両内容物を混合する二剤混合容器は、毛染め液などの反応性の液体を入れたものに用いられているが、近年、お茶など飲料分野への用途の拡大が図られており、その需要は今後益々増大する傾向にある（例えば、特許文献１参照）。
【特許文献１】実用新案登録第２５６８９８９号明細書
【発明の開示】
【発明が解決しようとする課題】
【０００３】
ところで、従来の二剤混合容器は、部品点数が多く構造が複雑であることから製造コストの上昇が避けられない不具合があり、しかも、収納部を回転させる向きが一義的に決められたものが多く、収納部の回転に伴って容器の長さ（全高）が変動（長くなったり短くなったりする）するため使い勝手が良いとは言えないのが現状であった
【０００４】
本発明の課題は、パーツ数を削減して構造の簡素化を図るとともに、二剤を混合する際に容器の長さが変動せず、しかも容器の回転させる向きによらずして中栓を取り外すことができる使い勝手の良い新規な二剤混合容器を提案するところにある。
【課題を解決するための手段】
【０００５】
本発明は、内容物を注出する注出口を有し、底部を開口として該開口と注出口の相互間に内容物の収納空間を形成する上収納部と、この上収納部の開口につながる口部を有し、その口部と底壁との相互間において内容物の収納空間を別途に形成する下収納部とを備え、上収納部の内容物を開口を通して下収納部の収納空間に落下させることによって二剤の内容物を混合する容器であって、
前記上収納部の開口に、該開口を密封保持するとともにその取り外しを可能とする中栓を設け、
前記上収納部と下収納部との相互間に、該下収納部の口部に回転不能に連係し上収納部の外側において下収納部とともに回転可能に保持される中間筒体を配設してなり、
前記中栓及び中間筒体を相互に回転不能に連係するとともに、該中栓に互いに逆向きになる少なくとも二つの傾斜を有する凸部を設け、
前記上収納部の開口の突端に、該凸部の傾斜にそれぞれ適合する傾斜を有し中間筒体の回転に伴う該凸部への当接にて該中栓を上収納部の開口より押し出して下収納部の収納空間へ落下させる凸部を設けたことを特徴とする二剤混合容器である。
【０００６】
上記の構成になる二剤混合容器において、前記中栓は、上収納部との共廻りを防止するために中間筒体に係止される廻り止め用の切欠部を設けることができる。
【０００７】
また、本発明は、内容物を注出する注出口を有し、底部を開口として該開口と注出口の相互間に内容物の収納空間を形成する上収納部と、この上収納部の開口につながる口部を有し、その口部と底壁との相互間において内容物の収納空間を別途に形成する下収納部とを備え、上収納部の内容物を開口を通して下収納部の収納空間に落下させることによって二剤の内容物を混合する容器であって、
前記上収納部の開口に、該開口を密封保持するとともにその取り外しを可能とする中栓を設け、
前記上収納部と下収納部との相互間に、該下収納部の口部に回転不能に連係し上収納部の外側において下収納部とともに相対回転可能に保持される中間筒体を配設してなり、  前記中栓及び上収納部を相互に回転不能に連係するとともに該中栓に互いに逆向きになる少なくとも二つの傾斜を有する凸部を設け、
前記回転部材の突端に、該凸部の傾斜にそれぞれ適合する傾斜を有し上収納部、下収納部の相対回転に伴う該凸部への当接にて該中栓を上収納部の開口より押し出して下収納部の収納空間へ落下させる凸部を設けたことを特徴とする二剤混合容器である。
【０００８】
前記中栓は、その背面に、取り付け治具に適合、保持され上収納部の開口への組み付けを容易にする係止片を設けることができる。また、前記中栓の凸部及び上収納部の凸部は山型形状を呈するものが有利に適合する。
【発明の効果】
【０００９】
上収納部と下収納部とをつなぐ中間筒体を境にして各収納部を相対回転させるだけの簡単な構造で上収納部の開口に装着された中栓が下収納部へと落下する。
【００１０】
上収納部あるいは中間筒体を含めた下収納部の何れかを時計周り、反時計周りのどちらに回転させても中栓は上収納部の開口から押し出されることとなり、しかも、中間筒体は上収納部の周りを回るだけなので容器の長さが変動することもない。
【発明を実施するための最良の形態】
【００１１】
以下、図面を用いて本発明をより具体的に説明する。
図１は本発明にしたがう二剤混合容器の実施の形態を容器の全体について示した図であり、図２は図１の要部拡大図である。
【００１２】
図において１は２分割の組立て形式になる例で示した上収納部である。上収納部１は内容物を注出する注出口１ａを有し、底部を開口１ｂとして該開口１ｂと注出口１ａの相互間に内容物の収納空間Ｍを形成するものであって、その下部は内壁１ｃと外壁１ｄとを組み合わせた二重壁になっていてその相互間に下向きに開放された溝部１ｅが設けられている。
【００１３】
２は注出口１ａにおいてねじ止めされるキャップ、３は上収納部１の下側に配置される下収納部である。この下収納部３は上収納部１の開口１ｂにつながる口部３ａを有し、底壁３ｂとの相互間において内容物の収納空間Ｍ１を別途に形成する。
【００１４】
４は中間筒体である。この中間筒体４は上収納部１と下収納部３とを連結するもので、単一の筒体４ａとこの筒体４ａの下端において一体的につながる二重筒体４ｂからなり、二重筒体４ｂの相互間には下向きに開放された溝部４ｃが形成されている。
【００１５】
下収納部３の口部３ａは中間筒体４の溝部４ｃに回転不能に連係しており中間筒体４の筒体４ａは上収納部１の外側（本実施例では内壁１ｃと外壁１ｄとを組み合わせることによて構成される溝部１ｅ内）において下収納部３とともに相対回転可能に保持されている。
【００１６】
また、５は中間筒体４の筒体４ａの上端部に周方向に一体的に設けられた突起（連続又は断続する突条であってもよい）、６は上収納部１の溝部１ｅ内に周方向に一体的に設けられた突起（連続又は断続する突条であってもよい）である。この突起５、６によって上収納部１と中間筒体４が相互に抜け止め保持される。
【００１７】
また、７は下収納部３の口部３ａの外側において周方向に一体的に設けられた突起（連続又は断続する突条であってもよい）、８は中間筒体４の溝部４ｃ内に周方向に一体的に設けられた突起（連続又は断続する突条であってもよい）である。この突起７、８によって中間筒体４と下収納部３が相互に抜け止め保持される。
【００１８】
９は下収納部３の口部３ａの外側において一体的に設けられた縦リブ、１０は中間筒体４の溝部４ａ内に一体的に設けられ該縦リブ９を収める溝部である。中間筒体４と下収納部３は縦リブ９、溝部１０によって回転不能に連係される（縦リブ９と溝部１０は互いに逆に設けてもよい）。
【００１９】
１１は上収納部１の開口１ｂを密封保持する中栓である。この中栓１１は図３に外観斜視図を示すように、上収納部１の開口１ｂの内側でアンダーカット嵌合する筒体１１ａと、この筒体１１ａに一体成形され筒体１１ａの一端につながる底板１１ｂからなる。この中栓１１の底板１１ｂの縁部には互いに逆向きになる二つの傾斜を有する山型形状の凸部１１ｃと、その凸部１１ｃの隣接部位で中間筒体４の先端に係止され上収納部１との共廻りを防止する廻り止め用の切欠部１１ｄが設けられており、該切欠部が中間筒体４の内壁下端に設けられた係止片４ｄに係合してこれにより中栓１１を回転不能に係止する。なお、切欠部と係止片との関係は、中栓１１と中間筒体４の対向する壁面に形成される凹凸部に置き換えることも可能であり、また、中栓１１の背面には、取り付け治具（図示せず）に適合、保持され上収納部の開口への組み付けを容易にする凹凸部を形成しても良い。
【００２０】
１２は上収納部１の開口１ｂの突端に一体的に設けられた山型形状を呈する凸部である。
この凸部１２は中栓１１の凸部１１ｃの傾斜にそれぞれ適合する傾斜を有し中間筒体４の回転に伴う該凸部１１ｃへの当接にて中栓１１を開口１ｂより押し出して下収納部３の収納空間Ｍ１へ落下させる。
【００２１】
上収納部１と下収納部３をそれぞれ把持して上収納部１あるいは下収納部２の何れか一方を回転させると、上収納部１の凸部１２と中栓１１の凸部１１ｃがそれらの斜面において当接し、該中栓１２には上収納部１の開口１ｂより押し出す向きの力が生じ、中栓１１のアンダーカット嵌合が解除されたときに該中栓１１は下収納部３の収納空間Ｍ１へと脱落しこれと同時に上収納部１の収納空間Ｍに収められた内容物も下収納部３へと落下する。
【００２２】
図４〜図６は本発明にしたがう二剤混合容器の他の実施の形態を示したものである。この例は中栓１１の筒体１１ａを同心の二重の筒体として内側の筒体１１ａ１を上収納部１の内側に密着させて開口１ｂを密閉保持する一方、外側の筒体１１ａ２の内壁に間隔をおいて複数の溝部１３を形成し、この溝部１３に上収納部１の外壁に形成した縦リブ１４を入れ込んで回転不能に連係させる（廻り止めとして機能するもので、中栓に縦リブ１４を設け、上収納部１に溝部１３を設けても良い。）とともに、中間筒体４の突端に中栓１１の凸部１１ｃの傾斜にそれぞれ適合する傾斜を有する凸部１５を設けたものである。
【００２３】
この混合容器は、上収納部１と中栓１１が一体になって回転するもので、中間筒体４の凸部１５と中栓１１の凸部１１ｃがそれらの斜面において当接した際に該中栓１２には上収納部１の開口１ｂより押し出す向きの力が生じ、中栓１１の嵌合が解除されたときに該中栓１１は下収納部３の収納空間Ｍ１へと脱落しこれと同時に上収納部１の収納空間Ｍに収められた内容物も下収納部３へと落下する。
【００２４】
本発明において中栓１１を上収納部１の開口１ｂから押し出す手段としては二つの傾斜を有する山型形状の凸部１１ｃ、１２、１５を用いる場合を例として示したが、該凸部１１ｃ、１２、１５は半円形や台形状のものであってもよく、形状についてはとくに限定されない。
【産業上の利用可能性】
【００２５】
回転させる向きによらずして中栓の取り外しが可能でかつ、容器の長さの変動がない構造の簡素化された二剤混合容器が提供できる。
【図面の簡単な説明】
【００２６】
【図１】本発明にしたがう二剤混合容器の実施の形態を示した図である。
【図２】図１に示した容器の要部拡大図である。
【図３】図１に示した容器の中栓の外観斜視図である。
【図４】本発明にしたがう二剤混合容器の他の実施の形態を示した図である。
【図５】図４に示した容器の要部拡大図である。
【図６】図４に示した容器の中栓の外観斜視図である。
【符号の説明】
【００２７】
１  上収納部
１ａ  注出口
１ｂ  開口
１ｃ  溝部
２  キャップ
３  下収納部
３ａ  口部
３ｂ  底壁
４  中間筒体
４ａ  筒体
４ｂ  二重筒体
４ｃ  溝部
４ｄ  係止片
５  突起
６  突起
７  突起
８  突起
９  縦リブ
１０  溝部
１１  中栓
１１ａ  筒体
１１ｂ  底板
１１ｃ  凸部
１１ｄ  切欠部
１２  凸部
１３  溝部
１４  縦リブ
１５  凸部
【図１】
2006232290.tif 000003
【図２】
2006232290.tif 000004
【図３】
2006232290.tif 000005
【図４】
2006232290.tif 000006
【図５】
2006232290.tif 000007
【図６】
2006232290.tif 000008